(57)【特許請求の範囲】
【請求項１】
飲料や食料等を収納する容器を加圧することにより容器の密閉度を検査する容器の密閉度検査装置において、
加圧体が、容器を均一加圧し得るように、流体により膨脹加圧したり収縮減圧したりして圧力調整可能に、両端が密封されたチューブ状に形成されており、
該チューブ状の加圧体により容器を加圧することで密閉度を検査する、
ことを特徴とする容器の密閉度検査装置。
【請求項２】
加圧体は、
上コンベアと下コンベアとの間に容器が配設されているコンベア装置の下コンベアの下チェーンの略下側全長に渡って配設した、
ことを特徴とする特許請求の範囲第１項記載の容器の密閉度検査装置。
【請求項３】
加圧体は、
上コンベアと下コンベアとの間に容器が配設されているコンベア装置の上コンベアの上チェーンの略上側全長に渡って配設した、
ことを特徴とする特許請求の範囲第１項記載の容器の密閉度検査装置。
【請求項４】
加圧体は、
上コンベアと下コンベアとの間に容器が配設されているコンベア装置の上コンベアと下コンベアとの間の側方に配設した、
ことを特徴とする特許請求の範囲第１項記載の容器の密閉度検査装置。
【請求項５】
上記容器は、
上コンベアと下コンベアとの間に配設すると共に、
両コンベアの作動により移動させ、かつ
上記加圧体により多数配設された容器を同時に均一加圧して加圧検査する、
ことを特徴とする特許請求の範囲第１項記載の容器の密閉度検査装置。
【請求項６】
上記加圧体は、
上記多数の容器を均一に加圧するように多数容器に対応して多数容器の全長に渡って加圧するように複数形成した、
ことを特徴とする特許請求の範囲第１項〜第４項の何れかに記載の容器の密閉度検査装置。
【発明の詳細な説明】
【０００１】
【発明の属する技術分野】
本発明は、容器の密閉度検査装置に関し、特に被検査品である容器に適切な加圧力を加えることにより正確な密閉度検査をし得るようにした容器の密閉度検査装置に関するものである。
【０００２】
【従来の技術】
従来、ジュースやコーラその他の飲食物等の容器の密閉度検査においては、加圧機械により多数の容器に機械的な圧力を容器の上方から加えることにより容器の密閉度を検査していた。
【０００３】
しかしながら、加圧機械により加圧すると、該加圧機械のある所とない所とで加圧力に差を生ずることや、該加圧機の加圧力の他に予期せぬ重力が作用することで加圧力に差を生ずること等により、多数の容器を均一に加圧するのが困難であるという問題点があった。
【０００４】
また、加圧機械により多数の容器に機械的な圧力を容器に加える場合、容器内の収納物の種類や大きさ、又は容器の数の多少等によって、容器に加わる加圧力に差を生ずること等により、均一加圧が困難であることや異常圧力が作用する等の問題点、があった。
【０００５】
さらに、上記従来方法にあっては、容器に正確な圧力を加えるのが困難であるのみならず、加圧機械の構造が複雑であること等から、操作が煩雑であることや装置のコストが大である等の問題点があった。
【０００６】
このため、該容器をそのまま出荷すると漏れが発生する等の品質が低下した不良品が発生する虞があるという問題点があった。
【０００７】
これにより、信用が損なわれるばかりでなく、交換に要するコストも高くなり、製品コストに跳返ってコスト高を招いてしまいその問題点が顕著であった。
【０００８】
【発明が解決しようとする課題】
このような従来技術の問題点に鑑み、本発明の主な目的は、被検査品である容器に適切な加圧力を簡単かつ容易に加えるようにすることにより、正確な密閉度検査をし得るようにした容器の密閉度検査装置を提供することにある。
【０００９】
【課題を解決するための手段】
このような目的は、本発明によれば、
飲料や食料等を収納する容器を加圧することにより容器の密閉度を検査する容器の密閉度検査装置において、
容器を均一加圧し得る加圧体により容器を加圧することで密閉度を検査する、
ことを特徴とする容器の密閉度検査装置、
を提供することにより達成される。
【００１０】
【作用】
このように、本発明によれば、
容器を均一加圧し得る加圧体により容器を加圧検査するように形成することにより、容器に適切な加圧力を容易に加えることができ、正確な密閉度検査をすることができる為、製品品質が向上すると共に、商品の信用が向上し、該検査が簡易かつ正確であるので、製品コストの低減を図ることができる。
【００１１】
従って、異常圧力の発生や不均一加圧等の検査品質を低下させる不具合要因を解消して、被検査品である商品の品質を向上せしめることができる。
【００１２】
これにより、検査費用を低減させるばかりでなく、商品に要するコストも低減することができ、商品コストの低減化を図ることができる。
【００１３】
【発明の実施の形態】
次に、本発明を添付の図面を参照して特定の実施の形態について詳述する。
【００１４】
図１〜図７は本発明に基づく容器の密閉度検査装置の一実施例を示している。
【００１５】
本発明の一実施例である容器の密閉度検査装置１は、
コンベア装置２と、
該コンベア装置２の下方に配設された加圧体３とからなり、
該コンベア装置２に配置された飲料や食料或いは化粧品又は薬剤その他を収納する多数の容器Ｐを加圧してその密閉度を検査する。
【００１６】
該コンベア装置２は、
基台４と、
該基台４の上面に配設された下コンベア５と、
該下コンベア５の上部に下コンベア５に相対向配設された上コンベア６、７と、該上コンベア６、７の上部に配設された昇降フレーム８と、
該昇降フレーム８に連結されると共に、パイプを介してエアタンクから供給されるエアにより昇降フレーム５を昇降作動させる昇降シリンダ９と、からなる。
【００１７】
上記基台４は、上記下コンベア５や上コンベア６、７の大きさに応じたフレーム状に形成されると共に、下コンベア５等のコンベア装置２の構成部材を支持するに充分な強度を有する鋼材等の剛性材から形成されている。
【００１８】
また、上記下コンベア５は、該基台４の上方に回動自在かつ移動自在に配設された相対向する左右の下チェーン１１と、該左右の下チェーン１１に挟持された多数の下ガイドローラ１２と、該下ガイドローラ１１の全長に渡ってその外側に配設された下コンベアベルト１３と、から形成されている。
【００１９】
さらに、上記上コンベア６、７は、上記下コンベア５の上部に該下コンベア５に相対向して回動自在かつ移動自在に配設された相対向する左右の上チェーン１４と、該左右の上チェーン１４に挟持された多数の上ガイドローラ１５と、該上ガイドローラ１５の全長に渡ってその外側に配設された上コンベアベルト１６と、から形成されている。
【００２０】
また、昇降シリンダ９は、上記下コンベア５と上コンベア６、７の左右両側に基台４上面に相対向して複数個（本実施例にあっては８個）設けられている。
【００２１】
さらに、昇降フレーム８は、該左右の昇降シリンダ９、９の上部に架設されており、その下部が上記上コンベア６、７に沿って相対向する角筒状の連結体１７、１７を介して上記上コンベア６、７に連結されている。
【００２２】
前記加圧体３は、パイプを介してエアタンクから供給されるエアにより膨脹加圧したり収縮減圧したりして圧力調整可能に、両端が密封された円形断面のチューブ状に形成されており、上記コンベア装置２の下コンベア５のガイドローラ１１の下側全長に渡って基台４の上面に配設されている。
【００２３】
また、この加圧体３は、上記コンベア装置２の相対向する左右の下チェーン１１の下側に設けられた円弧状断面の加圧体係止材１８、１８に係合して相対向して設けられており、下コンベア５の下チェーン１１の略下側全長に渡って配設されている。
【００２４】
さらに、上記加圧体３は、流体であるエアにより膨脹加圧することにより上記容器Ｐを加圧することによって、その密閉度を検査する。
【００２５】
また、上記加圧体３は、内部圧力を調整することにより、上記容器Ｐに対する加圧力を自由に調整することができる。
【００２６】
さらに、上記加圧体３は、エアタンクからエアがパイプを介して供給されるが、該パイプには図示しない圧力調整用減圧弁（リリーフ弁）が設けられており、圧力調整可能に形成されている。
【００２７】
また、前記飲料や食料或いは化粧品又は薬剤その他を収納する容器Ｐは、上記コンベア装置２の下コンベア５の下コンベアベルト１３の上面と、上コンベア６、７の上コンベアベルト１６との間に多数配置され、該下コンベアベルト１３と上コンベアベルト１６の移動に伴って移動する。
【００２８】
さらに、該多数の容器Ｐは、上記下コンベアベルト１３と上コンベアベルト１６の移動に伴って移動すると共に、前記加圧体３の作動により同時に加圧され、その密閉度が検査される。
【００２９】
上記下コンベア５に用いられる左右の下チェーン１１は、アタッチメント付きチェーンを使用することにより、加圧体３により下コンベア５を変位させた場合にも、該変位に対して自由に変位することが可能となる。
【００３０】
次に、上記実施例の作用について説明する。
【００３１】
上記容器の密閉度検査装置によれば、コンベア装置２に配置された多数の飲料や食料或いは化粧品又は薬剤その他を収納する容器Ｐは、上記下コンベアベルト１３と上コンベアベルト１６の移動に伴って移動すると共に、前記加圧体３の作動により同時に加圧され、その密閉度が検査される。
【００３２】
すなわち、図示しないメインスイッチをオンすることにより、容器の密閉度検査装置１の図示しない駆動モータが作動し、下コンベア５の相対向する左右の下チェーン１１と、上コンベア６、７の相対向する左右の上チェーン１４とが夫々同期して回転移動すると共に、該左右の下チェーン１１に挟持された多数の下ガイドローラ１２と、該下ガイドローラ１２の全長に渡ってその外側に配設された下コンベアベルト１３、及び該左右の上チェーン１４に挟持された多数の上ガイドローラ１５と、該上ガイドローラ１５の全長に渡ってその外側に配設された上コンベアベルト１６が、夫々回転移動する。
【００３３】
また、下コンベア５の下ガイドローラ１１の下側全長に渡って基台４の上面に配設されている加圧体３は、パイプを介してエアタンクから供給されるエアにより膨脹加圧されることにより、上記コンベア装置２の下コンベア５の下コンベアベルト１３の上面と上コンベア６、７の上コンベアベルト１６との間に多数配置され該下コンベアベルト１３と上コンベアベルト１６の移動に伴って移動する多数の容器Ｐを同時に加圧して、内容物の漏洩等を検査することにより、その密閉度を検査する。
【００３４】
このようにして、容器の密閉度検査装置１によれば、加圧体３により容器Ｐに加圧力を作用させることにより、適切な加圧力を加えることができると共に、容器を均一に加圧することができ、正確な密閉度検査を容易に行うことができる為、製品品質が向上すると共に、商品の信用が向上し、該検査が簡易かつ正確であるので、商品の品質を向上せしめることができると共に、製品コストの低減を図ることができる。
【００３５】
この為、従来方法による場合に生ずる加圧機械のある所とない所とで加圧力に差を生ずることや、該加圧機械の加圧力の他に予期せぬ重力が作用することで加圧力に差を生ずること等により、多数の容器を均一に加圧するのが困難であるという問題点を解消出来ると共に、品質が低下した不良品が発生する虞があるという問題点や装置のコストが大であるという問題点を解消出来る。
【００３６】
従って、異常圧力の発生や不均一加圧等の検査品質を低下させる不具合要因を解消して、被検査品である商品の品質を向上せしめることができる。
【００３７】
これにより、検査費用を低減させるばかりでなく、商品に要するコストも低減することができ、商品コストの低減化を図ることができる。
【００３８】
尚、本発明の容器の密閉度検査装置は、上記実施例の密閉度検査装置１に限られることなく、コンベア装置２や加圧体３や容器Ｐを上記実施例と異なるものとすることが出来るのは勿論である。
【００３９】
すなわち、本発明の容器の密閉度検査装置は、上記実施例の密閉度検査装置１のように加圧体３を容器の下方に配設したものとする他、本発明にあっては、加圧体を容器の上方に配設することや、加圧体を容器の側方に配設したものとすることができ、例えば、加圧体を上記実施例の上コンベアの上に配設したものとする等の構成とすることが出来る。
【００４０】
また、本発明の容器の密閉度検査装置は、上記実施例の密閉度検査装置１のように下コンベア５の下に直接加圧体３を配設して加圧検査するものとすることや、上コンベアの上に直接加圧体を配設したものとする他、本発明にあっては、例えば、下コンベア５の加圧体係止材１８の下や、図示しない上コンベアの加圧体係止材の上に、可撓性介在物を介して加圧体３を配設して加圧検査するものとすることができる。
【００４１】
さらに、本発明の容器の密閉度検査装置は、上記実施例の密閉度検査装置１のように多数の容器を同時に検査するものとする他、本発明にあっては、例えば、容器を一個づつ検査するものとすることが出来、また上記実施例のように容器を移動しながら検査するものとする他、本発明にあっては、例えば、容器を固定して検査するものとすることが出来る。
【００４２】
また、本発明の容器の密閉度検査装置は、上記実施例の密閉度検査装置１のように上コンベアと下コンベアとの間に配設して両コンベアの作動により移動させ移動中に加圧検査するものとする他、本発明にあっては、例えば、チェーンコンベアの代わりにゴムコンベアとすることや軟質プラスチックコンベアとすること、或いは連続移動の代わりに間欠移動すること等することができる。
【００４３】
さらに、本発明に適用できる容器は、上記実施例の容器Ｐの形状や大きさに限られることなく、本発明にあっては、上記実施例と異なる形状や大きさのものに適用出来るのは勿論であり、例えば、上記実施例の形状のものとする他、円形断面形状のものや円チューブ形状や角チューブ形状その他の形状のものに適用することができるのは勿論であり、さらに上記実施例の飲料や食料或いは化粧品又は薬剤等を収納する容器に限られることなく、その他を収納する多種類の容器に適用することができる。
【００４４】
また、本発明の加圧体は、上記実施例の加圧体３の形状や大きさや構造に限られることなく、上記実施例と異なる形状や大きさや構造のものとすることが出来るのは勿論であり、例えば、上記実施例の加圧体３のように一体のものとする他、本発明にあっては、２以上に分割されたものとすること、或いは上記実施例のように加圧体３の断面形状を円形断面のチューブ形状とする他、本発明にあっては、例えば、楕円形断面のチューブ形状等の形状とすることや、その他の断面形状その他の形状や大きさ等とすることができる。
【００４５】
さらに、本発明のコンベア装置は、上記実施例のコンベア装置２の形状や構造に限られることなく、上記実施例と異なる形状や構造のものとすることが出来るのは勿論であり、例えば、コンベア装置の構成部材である基台４や下コンベア５、上コンベア６、７や昇降フレーム８、昇降シリンダ９は、上記実施例の形状や構造に限られることなく、上記実施例と異なる形状や構造のものとすることが出来、本発明にあっては、上コンベア６、７を一体のものとすることや３以上に分割されたものとすること、或いは下コンベア５を２以上に分割されたものとすること、又は昇降フレーム８を四角形断面その他の断面のチューブ形状とすること、或いは昇降シリンダ９を上コンベア６、７の前後端のみでなくその中間部にも設ける等や空気圧シリンダに限られることなく油圧シリンダその他のシリンダとすること等とすることができる。
【００４６】
【発明の効果】
このように、本発明によれば、容器を均一加圧し得る加圧体により容器を加圧検査するように形成することにより、加圧体により容器に適切な加圧力を加えることができると共に、容器を均一に加圧することができ、正確な密閉度検査を容易に行うことができる為、製品品質が向上すると共に、商品の信用が向上し、該検査が簡易かつ正確であるので、商品の品質を向上せしめることができると共に、製品コストの低減を図ることができる効果がある。
すなわち、
（１）従来方法による場合に生ずる加圧機械のある所とない所とで加圧力に差を生ずることや、加圧機械の加圧力の他に予期せぬ重力が作用することで加圧力に差を生ずること等により、多数の容器を均一に加圧するのが困難であるという問題点を解消することが出来ると共に、品質が低下した不良品が発生する虞があるという問題点や装置のコストが大であるという問題点を解消出来る効果がある。
（２）検査時における異常圧力発生や不均一加圧等の検査品質を低下させる不具合要因を解消して、被検査品である商品の品質を向上せしめることができる効果がある。
（３）検査費用を低減させるばかりでなく、商品に要するコストも低減することができ、商品コストの低減化を図ることができる効果がある。
（４）検査時における容器上方からの加圧の場合に生ずる重力作用による多数容器への不均一加圧や、収納物の種類や大きさ又は容器の数の多少等による不均一加圧や異常圧力の作用等の問題点を解消できる効果がある。
（５）不正確圧力の作用等の問題点を解消できる為、漏れが発生する等の品質低下した不良品の発生を防止できることや、信用毀損や商品交換等を阻止し、これらによるコスト高の招来を阻止することが出来、商品品質の向上や製品コストの低減を図ることが出来るという大なる効果がある。
（６）このように簡単かつ容易に正確な密閉度検査をすることができる為、設備費用やランニングコストを極めて低廉にすることができ、その効果は極めて大である。
【図面の簡単な説明】
【図１】本発明に基づく容器の密閉度検査装置の一実施例を示す正面図である。
【図２】同実施例を示す平面図である。
【図３】同実施例を示す側面図である。
【図４】同実施例を示す要部拡大断面図である。
【図５】同実施例の加圧体と下コンベアとの関係を示す側面図である。
【図６】同実施例の下チェーンと下ガイドローラとの関係を示す平面図である。
【図７】同実施例の下チェーンを示す正面図である。
【符号の説明】
１      容器の密閉度検査装置
２      コンベア装置
３      加圧体
４      基台
５      下コンベア
６      上コンベア
７      上コンベア
８      昇降フレーム
９      昇降シリンダ
１１    下チェーン
１２    下ガイドローラ
１３    下コンベアベルト
１４    上チェーン
１５    上ガイドローラ
１６    上コンベアベルト
１７    連結体
１８    加圧体係止材
Ｐ      容器
【図１】
0003582046.tif 000002
【図２】
0003582046.tif 000003
【図３】
0003582046.tif 000004
【図４】
0003582046.tif 000005
【図５】
0003582046.tif 000006
【図６】
0003582046.tif 000007
【図７】
0003582046.tif 000008